(57)【特許請求の範囲】
【請求項１】
ワイヤーハーネスを構成する電線を布線するための図板と、この図板を担持する受台とを備えたワイヤーハーネスの布線台において、
上記図板と受台との間に設けられ、図板上に電線を布線する際に該電線に作用した衝撃エネルギーを図板から吸収可能なエネルギー吸収手段を備え、
上記エネルギー吸収手段は、上記受台に対して上記図板が接離する方向および横ずれする方向の図板の変位を許容して、上記電線を布線する際に上記電線に加わった力の方向に上記図板を変位させることにより上記衝撃エネルギーを吸収するように構成されていることを特徴とするワイヤーハーネスの布線台。
【請求項２】
請求項１記載のワイヤーハーネスの布線台において、
上記エネルギー吸収手段は、図板を着脱可能な図板取り付け部材を介して図板と連結されるものであることを特徴とするワイヤーハーネスの布線台。
【請求項３】
請求項１記載のワイヤーハーネスの布線台において、
上記エネルギー吸収手段は、弾性体を含んでいることを特徴とするワイヤーハーネスの布線台。
【発明の詳細な説明】
【０００１】
【発明の属する技術分野】
本発明はワイヤーハーネスの布線台に関するものである。
【０００２】
【従来の技術】
一般に、自動車等における電装品の配線に用いられるワイヤーハーネスは、所定の寸法に切断された複数の電線を結束して構成されており、柔軟性があって形態的には細長く、複雑に枝分かれした構造を有しているのが特徴である。かかるワイヤーハーネスの組立作業は、ワイヤーハーネス布線台を製造ライン沿いに搬送し、当該製造ラインに設定された布線ステーションにて作業者が電線を布線する作業が含まれている。
【０００３】
上記布線台は、電線を布線するための図板と、この図板を受ける受台とを有している。図板は、製造されるワイヤーハーネスの最終形態を示す図面が貼着された横長の板状の作業台であり、その適所には、ワイヤーハーネスを構成する電線を配索するために、通常、Ｕ治具と呼称される保持具が多数立設されている。また作業者が作業を行いやすくするために、図板はその下側が作業者に近接するように所定の角度傾斜した状態で上記受台上にリジッドに固定されている。作業者は、この図板の保持具上に、例えば芯線の断面積が０．３ｍｍ2 以上の被覆電線に張力を加えて、布線された電線の配索寸法（最終形態となるワイヤーハーネスの仕上り寸法）を維持しながら布線作業を行っていた。
【０００４】
【発明が解決しようとする課題】
上述のような図板上で布線される電線として、近年、芯線の断面積が０．３ｍｍ2 を下回る被覆電線を布線する必要が生じてきた。
【０００５】
ところが、そのような極細線を布線する場合には、僅かな衝撃が電線に作用しだけでも断線するおそれがある。特に上記布線作業においては、作業者が単線を把持して保持具（Ｕ治具）に掛け渡す必要があるから、僅かな引っかかりが生じた場合や、電線に張力を加え過ぎただけで電線単体に衝撃が加わりやすくなる。このような衝撃が電線に加わると、上記保持具がリジッドであることや、図板自身も受台にリジッドに固定されていることから、その衝撃エネルギーを電線自身によって吸収することになる結果、電線が衝撃時のエネルギーによって断線しやすくなる。他方、電線の配索寸法を精緻に維持するためには、図板に設けられた保持具はリジッドなものである必要があり、しかも、作業者は、要請される配索寸法を維持するために、各保持具に掛け渡した電線にしばしば張力を加える必要がある。このため、電線に上述のような衝撃が生じやすくなり、しかも電線に作用する張力や衝撃を作業者が手作業で制御することもままならない。
【０００６】
本発明は上記不具合に鑑みてなされたものであり、極細線の布線作業を容易に行うことのできるワイヤーハーネスの布線台を提供することを課題としている。
【０００７】
【課題を解決するための手段】
上記課題を解決するために、本発明は、ワイヤーハーネスを構成する電線を布線するための図板と、この図板を担持する受台とを備えたワイヤーハーネスの布線台において、上記図板と受台との間に設けられ、図板上に電線を布線する際に該電線に作用した衝撃エネルギーを図板から吸収可能なエネルギー吸収手段を備え、上記エネルギー吸収手段は、上記受台に対して上記図板が接離する方向および横ずれする方向の図板の変位を許容して、上記電線を布線する際に上記電線に加わった力の方向に上記図板を変位させることにより上記衝撃エネルギーを吸収するように構成されていることを特徴とするワイヤーハーネスの布線台である。
【０００８】
この発明によれば、作業者が単線を把持して布線する場合に、誤って図板上のどこかに引っ掛けたり、無理な張力を作用させることにより、電線に衝撃が加わった場合にも、その衝撃エネルギーをエネルギー吸収手段によって吸収し、電線を保護することが可能になる。したがって、作業者が極細線（主として導線の断面積が０．３ｍｍ2 未満のもの）を布線する場合にも、該極細線を衝撃エネルギーから保護しながら作業を行うことが可能になる。
【０００９】
上記エネルギー吸収手段は、図板を着脱可能な図板取り付け部材を介して図板と連結されるものであることが好ましい。
【００１０】
このようにすると、受台に装着される図板を変更する場合にも、エネルギー吸収手段をそのまま流用することができるので、エネルギー吸収手段に汎用性を持たせることができ、図板変更時の段取り変えが容易になるという利点がある。
【００１１】
上記エネルギー吸収手段は、弾性体を含んでいることが好ましい。
【００１２】
このようにすると、至って簡素な構造でエネルギー吸収手段を構成することが可能になる。
【００１３】
弾性体の具体的な態様としては、ゴムやスポンジ等の弾性材料、或いは、板ばねやコイルばね等のばね部材が好適である。
【００１４】
ゴムやスポンジ等の弾性材料を採用する場合には、図板の全面にわたって該弾性材料を貼着してもよい。
【００１５】
他方、コイルばねや板ばねを採用する場合には、複数のばね部材を点在させて、偏荷重が生じないようにすることが好ましい。さらにばね部材を採用する場合には、スプリングシートを併用して確実なエネルギー吸収作用を奏するように配置することが好ましい。
【００１６】
さらに、コイルばねを採用した場合には、その両端をスプリングシートで保持することが好ましい。
【００１７】
【発明の実施の形態】
以下、添付図面を参照しながら本発明の好ましい実施の形態について詳述する。
【００１８】
図１は本発明の実施の一形態に係る布線台１０を簡略化して示す斜視図である。
【００１９】
同図を参照して、図示の布線台１０は、受台としての搬送台車１１とこの搬送台車１１上に取り付けられる図板２０とを有している。
【００２０】
図示の例において、搬送台車１１は、電線Ｗを布線してワイヤーハーネスＷＨを製造するために無端状に構成された製造ラインに沿って周回するものであり、キャスタ１２と、このキャスタ１２によって走行可能な架台１４と、図略のコンベヤー連結機構とを備えており、該コンベヤー連結機構を介して製造ラインに設けられている台車搬送機構に駆動されることにより、上記製造ラインに沿って周回することができるようになっている。なお、上記電線Ｗには、断面積が０．３ｍｍ2 未満の極細線（具体的には０．２２ｍｍ2 のもの或いは０．１４ｍｍ2 のもの）が含まれている。
【００２１】
搬送台車１１の架台１４は、金属製のパイプ材（図示の例では角パイプを利用している）によって略直方体形状の枠体に構成されたものであり、具体的には、上記キャスタ底部を形成する下枠部１４ａ、天部を構成する上枠部１４ｂ、両者を接続する支柱１４ｃ、１４ｄとを溶接により一体化したものである。各支柱１４ｃ、１４ｄのうち、後部に配置されたものは、上枠部１４ｂよりも上方に突出し、その上端部分に横架された横桟１４ｅによって補強されているとともに、この横桟１４ｅに上記コンベヤー連結機構を設けている。
【００２２】
さらに上記上枠部１４ｂの前部には、図板２０を担持するための図板フレーム１５が形成されており、上枠部１４ｂに固定されている。図板フレーム１５は、上枠部１４ｂの長手方向に沿って形成された金属製の枠体であり、上部が後方に下がるように傾斜した状態に配置され、補強部材１６によって堅固に上枠部１４ｂと一体化されている。
【００２３】
そして、図示の実施形態では、この図板フレーム１５に対し、図板２０が後述するエネルギー吸収手段としてのスプリングユニット３０を介して取り付けられている。
【００２４】
上記図板２０は、板部２１の表面に図面（図示せず）を貼着し、ワイヤーハーネスＷＨを構成する電線Ｗを布線するための保持具２２が多数立設されたものである。図では簡略化されているが、保持具２２は、当該ワイヤーハーネスＷＨの配索形態により、或いはワイヤーハーネスＷＨに設けられるコネクタＣや外装部品に対応して種々のものが設けられている。そして、作業者は、予め定められた布線順序にしたがって、電線Ｗを布線することにより、この図板２０上にワイヤーハーネスＷＨを配索することが可能になっている。
【００２５】
以上のような構成において、上記スプリングユニット３０は、作業者が図板２０に電線を布線する際、当該電線が図板２０から受けた衝撃によるエネルギーを吸収するために設けられたものである。図示のように、スプリングユニット３０は、図板２０の周囲に例えば８箇所設けられている。
【００２６】
図２は図１の実施形態に係るスプリングユニット３０を装着した部分の断面略図であり、図３は図１の実施形態に係るスプリングユニット３０の分解斜視図である。
【００２７】
これらの図を参照して、スプリングユニット３０は、一対のスプリングシート３１、３２と、両スプリングシート３１、３２に端部が保持される弾性体としてのコイルばね３３とを主要素としているものである。
【００２８】
図３に示すように、各スプリングシート３１、３２は、何れもコイルばね３３の端部を保持可能なスリーブ３１ａ、３２ａと、スリーブ３１ａ、３２ａと一体化されたフランジ３１ｂ、３２ｂとを有しており、一方のフランジ３１ｂを図板フレーム１５に取り付け、他方のフランジ３２ｂを図板２０の裏面に取り付けることにより、図板２０を弾性変位可能に図板フレーム１５に取り付けている。図示の例では、図板フレーム１５に取り付けられるスプリングシート３１については、当該スリーブ３１ａの接線沿いにフランジ３１ｂが設けられ、このフランジ３１ｂを図板フレーム１５の内側面に溶接している。他方、図板２０に固定されるスプリングシート３２は、スリーブ３２ａの端面にフランジ３２ｂを有しており、このフランジ３２ｂに設けた穿孔３２ｃを挿通する図略のビスによって図板２０の下面に固定されている。
【００２９】
図４は図１の実施形態に係る布線台１０の断面部分略図である。
【００３０】
同図に示すように、以上の構成では、布線時の電線が何らかの衝撃を受けた場合に、図の仮想線で示すように、スプリングユニット３０のコイルばね３３が伸縮して図板２０が全体に変位することにより、当該衝撃エネルギーを吸収し、もって電線Ｗを保護することが可能になる。したがって、極細線を布線する際にも、作業者が張力について大きな注意を払う必要なく、所期の布線作業を行うことが可能になる。
【００３１】
上述した実施形態は、本発明の好ましい一態様を例示したものに過ぎず、本発明は上述した実施形態に限定されない。
【００３２】
図５は本発明の別の実施形態を示す一部破断斜視図である。
【００３３】
同図に示すように、図板フレーム１５と図板２０の間にスプリングユニット３０を介在させるに当たり、スプリングユニット３０と図板２０の間に取付板２５を介在させてもよい。図示の例では、取付板と図板２０とをブラケット２６とボルト２７とで着脱可能に固定している。この場合には、図板フレーム１５に装着される図板２０を変更する場合にも、各スプリングシート３１を変更する必要がないので、各スプリングシート３１に汎用性を持たせることができるという利点がある。
【００３４】
図６は本発明のさらに別の実施形態を示す断面略図である。
【００３５】
エネルギー吸収手段としては、上述のようなスプリングユニット３０に限らず、図６に示すように、弾性板４０を図板フレーム１５と図板２０との間に設け、この弾性板４０の弾性変形によって電線Ｗに作用する衝撃エネルギーを吸収するようにしてもよい。弾性板４０の材質としては、ウレタンやゴムが好適である。また、ゴムを採用する場合には、表面に起伏を設けて衝撃エネルギーの吸収性能を高めるようにしてもよい。
【００３６】
また、具体的には図示していないが、エネルギー吸収手段としては、エアシリンダで構成されたショックアブソーバを利用するものであってもよい。
【００３７】
また、布線台１０は、ワイヤーハーネスＷＨの組立図板を構成するものであるが、必要に応じてワイヤーハーネスの導通検査を行う導通検査図板に本発明を適用してもよい。
【００３８】
その他、本発明の特許請求の範囲内で種々の設計変更や仕様変更が可能であることはいうまでもない。
【００３９】
【発明の効果】
以上説明したように本発明によれば、作業者が極細線を布線する場合にも、該極細線を衝撃エネルギーから保護しながら作業を行うことが可能になるので、極細線の布線作業を容易に行うことができるという顕著な効果を奏する。
【図面の簡単な説明】
【図１】  本発明の実施の一形態に係る布線台を簡略化して示す斜視図である。
【図２】  図１の実施形態に係るスプリングユニットを装着した部分の断面略図である。
【図３】  図１の実施形態に係るスプリングユニットの分解斜視図である。
【図４】  図１の実施形態に係る布線台の断面部分略図である。
【図５】  本発明の別の実施形態を示す一部破断斜視図である。
【図６】  本発明のさらに別実施形態を示す断面略図である。
【符号の説明】
１０    布線台
１１    搬送台車（受台）
１５    図板フレーム（受台の要部）
２０    図板
２５    取付板（取り付け部材）
３０    スプリングユニット（エネルギー吸収手段の一例）
４０    弾性板（エネルギー吸収手段を構成する弾性体の一例）
ＷＨ    ワイヤーハーネス
【図１】
0004178735.tif 000002
【図２】
0004178735.tif 000003
【図３】
0004178735.tif 000004
【図４】
0004178735.tif 000005
【図５】
0004178735.tif 000006
【図６】
0004178735.tif 000007